(57)【要約】【課題】チップ（刃物）をハンドピースに取り付けたり取り外したりするためのチップ着脱工具を不要にするとともに、チップをハンドピースに取り付けた際、チップ先端がいつも同じ方向を向くようにして、チップ先端をスポット照明可能とする。【解決手段】振動体２は振動子と一体的にかつ直線状に形成されてハンドピース本体より延出し、延出した部分において、振動体に対して所定の角度θをもって着脱自在に固定される。振動体２は先端部側に上方より所定の角度θをもってチップ３０を挿入可能で、挿入されたチップ３０は、チップ固定部材４０により振動体２に固定される。【選択図】図１
2006006644.tif 000002
【特許請求の範囲】
【請求項１】
振動子と、該振動子からの振動を伝達する振動体と、該振動体に着脱自在に取り付けられるチップと、該チップを前記振動体に着脱自在に固定するためのチップ固定部材とから成り、前記振動体は前記振動子と一体的に連結されかつ直線状に形成されてハンドピース本体より延出し、前記チップは前記振動体の延出した部分において、該直線状の振動体に対して所定の角度をもって着脱自在に固定される歯科用振動治療具において、前記振動体は軸心に対して上方より所定の角度をもって交差するチップ挿入用の貫通孔を有し、前記チップ固定部材は、前記振動体を覆いかつ該振動体の軸方向に変位可能なカバー部材と、一端が前記振動体に固定され他端が前記カバー部材に固定されたスプリング部材とよりなり、前記カバー部材を前記スプリング部材の伸張力に抗して前記振動体の軸方向に移動して前記貫通孔よりチップを挿入し、チップ挿入後、前記スプリング部材の伸張力によって前記カバー部材の端部を前記チップに押圧して該チップ部材を前記振動体に固定するようにしたことを特徴とする歯科用振動治療具。
【請求項２】
前記振動体は軸方向に延長し、前記貫通孔に連通する冷却水供給孔を有することを特徴とする請求項１に記載の歯科用振動治療具。
【発明の詳細な説明】
【技術分野】
【０００１】
本発明は、歯科治療において、歯石除去、ルートプレーニング（Root  Plainning）、根管の拡大、洗浄等を行うのに使用する振動子付き歯科用振動治療具に関する。
【背景技術】
【０００２】
歯科治療においては、歯石の除去、根面の平面化（Root  Plainning）、根管の拡大、洗浄等を行うために、最近では、一般的には、超音波振動子やエアー振動子を用いたハンドピースを使用している。
【０００３】
図４（Ａ）は、超音波振動子を用いたハンドピース１０の例としての周知の超音波スケーラ（scaler)の一例を説明するための要部断面構成図、図４（Ｂ）は、図４（Ａ）の矢印Ｂ−Ｂ線方向から見た図で、図中、１は超音波振動子、２は該超音波振動子１の振動が伝搬される超音波振動体、３は接続プラグ部、４（４1〜４n）はライトガイドで、これらがハンドピース本体５内に収納され、前記超音波振動体２にチップ（作業工具＝刃物）２０が着脱自在に螺着され、該チップ２０が超音波振動されて歯石の除去が行われる。また、光源ランプからの光がライトガイド４（４1〜４n）内に導入され、該ライトガイド４（４1〜４n）を通してハンドピース本体の先端部にまで伝達され、該先端部より、図４（Ｂ）に４1〜４nにて示すように、円環状に放射されてチップ２０の先端部（作業部）を照明するようにしている。
【０００４】
従来の歯科用超音波治療具は、前述のように、チップ（作業工具）２０は、超音波振動体２にねじ等によって着脱可能に装着されるようになっているが、螺着した時のチップ２０の向きが、どちらに向くかは不定であり、そのため、チップ２０がどちらを向いてもよいように、ライトガイド４を多数本（４1〜４n）用い、その光放出端を、図４（Ｂ）に示したように、円環状に配設している（例えば、特許文献１参照）。
【０００５】
上述のように、歯科用超音波振動（又はエアー振動）治療具において、従来のチップ（作業工具）は、振動体にネジで取り付けるため、チップ先がどの方向を向いて固定されるか特定できない。そこで、ハンドピース先端から放射される光はリング状であることが一般的である。しかし、リングライトの照射範囲は狭く、チップ２０の先は図示のように曲がっており、特に、図５に示すような根管治療を行うために、チップ２０の先端にＵファイルやプラガー２０’を取り付けるタイプのものにおいては先端（治療部位）を照らすことは不可能である。
【０００６】
上述のごとき実情に鑑みて、本出願人は、先に、振動を伝達する振動体を直線状のものとし、この直線状の振動体をハンドピース本体から延出させるとともに、この直線状の延出部に所定の角度をもってチップ（刃物＝作業部材）を着脱自在に取り付け（螺着）可能とし、もって、チップを直線状とすることでチップの製作を容易にし、かつ、チップの先端が常に同じ方向に向くようにすることによって、ライトガイドの光照射をチップ先端部に集中可能とし、より効果的にチップ先端（作業箇所）を照明できるようにした歯科用振動治療具を提案した（特許文献２参照）。
【０００７】
図６は、出願人が先に提案した歯科用振動治療具の一例を説明するための要部構成図で、図中、図４及び図５に示した従来技術と同様の作用をする部分には、図４及び図５の場合と同一の参照番号が付してある。而して、図６に示した歯科用振動治療具においては、超音波振動子又はエアー振動子（以降、両者を含めて超音波振動子という）１の振動を伝達するための超音波振動体２は、ハンドピース１０の先端から直線状に延出し、その延出部にチップ２０が着脱自在に（例えば、螺着等によって）所定の角度θをもって装着されるようになっている。
【０００８】
図７は、図６に示した超音波振動子１と超音波振動体２の一体物をハンドピース１０から取り出した時の状態を示す図で、図７（Ｂ）に示すように、チップ２０の一端には、雄ネジ２０ａが設けられており、これに対応して、超音波振動体２のハンドピース本体１０より延出した所定の位置に、該延出部の軸線に対して所定の角度（θ）をもつ雌ネジ２ａが設けられており、該雌ネジ２ａにチップ２０の雄ネジ２０ａが着脱自在に装着されるようになっている。
【０００９】
上記超音波振動体２は、ハンドピース製作時、ハンドピース本体５内に一体的に組み込まれるものであるから、チップ２０を取り付ける取り付け箇所及び取り付けたチップの向きを予め設定することができ、従って、チップ２０の先端位置（作業部位）も予め決まっているので、ライトガイド４から放射される光の照射方向も予め決定するので、ライトガイド４からの照射光を、前記作業部位に集中させることができる。
【特許文献１】特開平９−１０２２７号公報
【特許文献２】特願２００２−３４４２６７号
【発明の開示】
【発明が解決しようとする課題】
【００１０】
現在、市場にある歯科用（又は獣医用）超音波スケーラにおいては、上述のように、チップ（刃物）はネジで取り付ける構造であり、取り付けには専用の着脱工具が必要なため、術者は治療目的によりチップを交換する際の手間と時間を要する。また、取付部分がネジのため、チップの先端はどの方向を向いて固定されるか特定できない。そこで、ハンドピース先端に内蔵されたライトガイド（ライトの出射部分）はリング状であることが一般的であるが、理想的には治療部位をスポット照明で集中的に照らすことである。
【００１１】
本発明は、本出願人が先に提案した歯科用振動治療具を更に改良して、チップ（刃物）をハンドピースに取り付けたり取り外したりするためのチップ着脱工具を不要にするとともに、チップをハンドピースに取り付けた際、チップ先端がいつも同じ方向を向くようにして、チップ先端をスポット照明可能とすることを目的としてなされたものである。
【課題を解決するための手段】
【００１２】
請求項１の発明は、振動子と、該振動子からの振動を伝達する振動体と、該振動体に着脱自在に取り付けられるチップと、該チップを前記振動体に着脱自在に固定するためのチップ固定部材とから成り、前記振動体は前記振動子と一体的に連結されかつ直線状に形成されてハンドピース本体より延出し、前記チップは前記振動体の延出した部分において、該直線状の振動体に対して所定の角度をもって着脱自在に固定される歯科用振動治療具において、前記振動体は軸心に対して上方より所定の角度をもって交差するチップ挿入用の貫通孔を有し、前記チップ固定部材は、前記振動体を覆いかつ該振動体の軸方向に変位可能なカバー部材と、一端が前記振動体に固定され他端が前記カバー部材に固定されたスプリング部材とよりなり、前記カバー部材を前記スプリング部材の伸張力に抗して前記振動体の軸方向に移動して前記貫通孔よりチップを挿入し、チップ挿入後、前記スプリング部材の伸張力によって前記カバー部材の端部を前記チップに押圧して該チップ部材を前記振動体に固定するようにしたことを特徴としたものである。
【００１３】
請求項２の発明は、請求項１の発明において、前記振動体は軸方向に延長し、前記貫通孔に連通する冷却水供給孔を有することを特徴としたものである。
【発明の効果】
【００１４】
本発明によると、チップ（刃物）をまっすぐな物にすることができ、チップの位置を一定とすることができる。また、チップを製作する際に曲げの工程が入らないので品質の安定性が向上し、チップのコストも下がる。チップの着脱が工具無しで行える。更には、ライトガイドをリング状とする必要が無く、且つ、チップ先端に光を当てることができる。
【発明を実施するための最良の形態】
【００１５】
図１は、本発明による歯科用振動治療具の一実施例を説明するための要部概略構成図で、１０はハンドピース、２は振動体、４は光導体で、振動体２は、チップ（刃物）３０が、該振動体２の軸心に対して所定の角度をもって上下方向に挿入される貫通孔を有し、該貫通孔に挿入されたチップ３０が、チップ固定部材４０によって振動体２の軸方向に押圧されて該振動体２に固定されるようになっている。
【００１６】
図２は、図１に示した歯科用振動治療具のチップ固定部材４０部を含む部分の断面構成図で、図示のように、振動体２には、チップ３０を挿入するための貫通孔２1が軸心に対して所定の角度θをもって貫通され、かつ、軸方向には冷却水を供給するための流路２2が該貫通孔２1に連通するように設けられており、歯科治療中、該流路２2を通して供給される冷却水がチップ３０の作業部（先端部）の供給されるようになっている。
【００１７】
チップ固定部材４０は、振動体２を覆い（カバーし）かつ該振動体２の軸方向に変位可能なカバー部材４１と、一端４２ａが前記振動体２に固定され他端４２ｂが前記カバー部材４１に固定されたスプリング部材４２とよりなり、常態においては、スプリング部材４２の伸張力によりカバー部材４１は振動体２に設けられた貫通孔２1を越して前方に進出している。チップ３０を装着する時は、カバー部材４１をスプリング部材４２の伸張力に抗して矢印Ａ方向に押し、貫通孔２1をカバー部材４１から露出させ、該貫通孔２1にチップ３０を上方から挿入する。貫通孔２1にチップ３０を挿入した後に、カバー部材４１を押圧している力を解除すると、該カバー部材４１はスプリング部材４２の伸張力によって矢印Ｂ方向に押され、カバー部材４１の先端４１ａがチップ３０に当り、該チップ３０を振動体２に固定する。
【００１８】
図３は、振動体２の全体外観図で、該振動体２は、振動子に連結するためのねじ部２’を有し、該ねじ部２’を振動子に設けられた雌ねじに螺合するようになっているが、この螺合結合は、通常は、工場サイドで行われ、貫通孔２1の向きは、その際、正確に所望の向きに合わされる。
【図面の簡単な説明】
【００１９】
【図１】本発明による歯科用振動治療具の一実施例を説明するための要部外観図である。
【図２】図１に示した歯科用振動治療具の断面構成図である。
【図３】本発明による振動体の全体外観図である。
【図４】振動体を用いたハンドピースの例としての周知の超音波スケーラ（ｓｃａｌｅｒ）の一例を説明するための要部遮断構成図である。
【図５】ライトガイドの照射例を示す図である。
【図６】本出願人が先に提案した歯科用振動治療具の一例を説明するための要部構成図である。
【図７】図６に示した振動子と振動体の一体物をハンドピース本体から取り出した時の状態を示す図である。
【符号の説明】
【００２０】
１…超音波振動子（又はエアー振動子）、２…振動体、３…接続プラグ部、４（４1〜４n）…ライトガイド、５…ハンドピース本体、１０…ハンドピース、２０，３０…チップ（作業工具）、４０…チップ固定部材、４１…カバー部材、４２…スプリング部材。
【図１】
2006006644.tif 000003
【図２】
2006006644.tif 000004
【図３】
2006006644.tif 000005
【図４】
2006006644.tif 000006
【図５】
2006006644.tif 000007
【図６】
2006006644.tif 000008
【図７】
2006006644.tif 000009